(57)【要約】      （修正有）【課題】高速伝送用コネクタとして、データチャンネルの実効速度を高めることができるＥＭＩ保護を備えたモジュラコネクタを提供する。【解決手段】コネクタは、相互に結合されるように構成された第一のハウジング１２０及び第二のハウジングを有する。コネクタは、カード支持体２３０によって支持された２枚の回路カード２４０，２６０を含んでいてもよい。第一のハウジング１２０及び第二のハウジングの嵌（かん）合縁部は互いに結合するように構成されており、細長いチャンネル１２８／細長い肩部の境界に設けられた１個以上の押潰（つぶ）されたリブを備えていてもよい。１個以上の押潰されたリブは、コネクタによって提供される電気的なシールドを改善するように働く距離だけ離間されるように構成することができる。コネクタはケーブルに結合されるように構成することができる。【選択図】図１Ａ
2010123573.tif 000002
【特許請求の範囲】
【請求項１】
第一の長さに延在する第一の嵌合縁部を備える第一のハウジングであって、第一の嵌合縁部は第一の長さの一部分に沿って延在する第一の細長いスロットを備え、第一の細長いスロットは複数のリブを備えた第一のハウジングと、
細長いスロットに挿入されるように構成された細長い肩部を備える第二のハウジングであって、細長い肩部は第一のハウジングと第二のハウジングとが結合される際に複数のリブを押潰すために細長いスロットの一部分に入込むように構成され、第一のハウジングと第二のハウジングとが内部空洞を画定する第二のハウジングと、
内部空洞に位置する回路カードであって、動作中は対応するコネクタの端子に係合するように構成された複数の接触パッドを第一の端部に備えた回路カードと、
を有するコネクタ。
【請求項２】
第一のハウジングは第二の細長いスロットを備えた第二の嵌合縁部を更に備え、第二の細長いスロットは複数の離間したリブを備え、第二のハウジングは第二の細長いスロットに挿入されるように構成された第二の細長い肩部を備える、請求項１に記載のコネクタ。
【請求項３】
第一の細長いスロット及び第二の細長いスロット内の複数のリブが細長いスロットの両側に交互に設けられている、請求項２に記載のコネクタ。
【請求項４】
複数のリブが３〔ｍｍ〕以下の間隔で離間されている、請求項３に記載のコネクタ。
【請求項５】
隣接するリブの間が約２〜６〔ｍｍ〕の距離で離れるように複数のリブが離間されている、請求項１に記載のコネクタ。
【請求項６】
細長いスロットはある幅を有し、複数のリブは細長いスロットの幅の約１０〜２６〔％〕の距離だけ細長いスロット内に延出している、請求項５に記載のコネクタ。
【請求項７】
回路カードは第一の回路カードであり、コネクタは少なくとも１枚の追加の回路カードを更に有する、請求項１に記載のコネクタ。
【請求項８】
内部空洞を画定する２分割ハウジングであって、２分割ハウジングは第一の嵌合交差部分を両ハウジング部分の間に有し、第一の嵌合交差部分は第一の側部と第二の側部とを備え、第一の側部は第一の細長いスロットを備えた第一の嵌合縁部を備え、第二の側部は第一の細長いスロットに挿入されるように構成された第一の細長い肩部を備えた２分割ハウジングと、
第一の細長いスロットと第一の細長い肩部との間に設けられた少なくとも１個の押潰されたリブと、
少なくとも部分的に内部空洞内に位置してハウジングによって支持された回路カードであって、第一の端部に複数の接触パッドを備えた回路カードと、
を有するコネクタ。
【請求項９】
２分割ハウジングは第三の側部及び第四の側部を備えた第二の嵌合交差部分を更に備え、第三の側部は第二の細長いスロットを備えた第二の嵌合縁部を備え、第四の側部は第二の細長いスロットに挿入されるように構成された第二の細長い肩部を備え、コネクタは第二の細長いスロットと第二の細長い肩部との間に少なくとも１個の押潰されたリブを更に有する、請求項８に記載のコネクタ。
【請求項１０】
第一の細長いスロット内の少なくとも１個の押潰されたリブと、第二の細長いスロット内の少なくとも１個のリブとが、それぞれ約６〔ｍｍ〕以下の間隔になるように離間された複数のリブである、請求項９に記載のコネクタ。
【請求項１１】
複数のリブが第一の細長いスロット及び第二の細長いスロットの両側に交互に設けられ、３〔ｍｍ〕以下の間隔で位置する、請求項１０に記載のコネクタ。
【請求項１２】
回路カードは第一の回路カードであり、コネクタは少なくとも第二の回路カードを更に有し、第一の回路カードと少なくとも第二の回路カードとは実質的に平行に位置決めされた状態で配置される、請求項９に記載のコネクタ。
【請求項１３】
２分割ハウジングを互いに結合するように構成された複数の固定具を更に有する、請求項９に記載のコネクタ。
【請求項１４】
２分割ハウジングはラッチ溝を備えた第一の側部を有するとともに、第二の側部とそれと対向する第三の側部とを更に有し、複数の固定具は第二の側部とそれと対向する第三の側部とに設けられている、請求項１３に記載のコネクタ。
【請求項１５】
互いに結合し、内部空洞とプラグ部とを画定する第一のハウジング及び第二のハウジングであって、第一のハウジング及び第二のハウジングのうちの一方が第一の細長いスロットを備えた第一の嵌合縁部を備え、第一のハウジング及び第二のハウジングのうちの他方が第一の細長いスロットに挿入された第一の細長い肩部を備えた、第一のハウジング及び第二のハウジングと、
第一の細長い肩部と第一の細長いスロットとの間に設けられた複数の押潰されたリブと、
ハウジングの内部空洞に位置し、プラグ部へと延在する、少なくとも１枚の回路カードと、
を有するコネクタ。
【請求項１６】
第一のハウジング及び第二のハウジングのうちの一方が第二の細長いスロットを備えた第二の嵌合縁部を備え、第一のハウジング及び第二のハウジングのうちの他方が第二の細長いスロットに挿入された第二の細長い肩部を備え、コネクタは第二の細長い肩部と第二の細長いスロットとの間に設けられた離間した複数の押潰されたリブを更に有する、請求項１５に記載のコネクタ。
【請求項１７】
複数のリブが６〔ｍｍ〕以下の間隔で設けられている、請求項１５に記載のコネクタ。
【請求項１８】
第一の嵌合縁部はプラグ部まで延在しておらず、少なくとも１枚の回路カードは部分的にプラグ部から延出しており、複数の押潰されたリブは第一の細長いスロットの両側に交互に設けられている、請求項１５に記載のコネクタ。
【請求項１９】
細長いスロットはある幅を有し、細長い肩部を細長いスロットに挿入する前に、複数のリブは細長いスロットの幅の約１０〜２６〔％〕の間の距離だけ細長いスロット内に延出している、請求項１８に記載のコネクタ。
【請求項２０】
第一のハウジング及び第二のハウジングを互いにかしめる複数のクリップによって、第一のハウジング及び第二のハウジングが互いに結合されている、請求項１５に記載のコネクタ。
【請求項２１】
第一のハウジング及び第二のハウジングのうちの一方が第一の面、第二の面及び第三の面を備え、第一の面にはラッチ溝が設けられ、第一のハウジング及び第二のハウジングが複数の固定具によって互いに結合され、複数の固定具の少なくとも１個が第二の面及び第三の面のそれぞれに取付けられている、請求項１５に記載のコネクタ。
【請求項２２】
コネクタが複数のケーブルと係合するように構成されている、請求項１５に記載のコネクタ。
【発明の詳細な説明】
【技術分野】
【０００１】
本願は、２００８年１１月２１日に出願された米国仮出願第６１／１１６，８８５号と、２００８年１２月２３日に出願された米国特許出願第１２／３４２，３６９号とに基づく優先権を主張し、その内容全体を本明細書の一部を構成するものとしてここに援用する。
【０００２】
本発明はコネクタの分野に関し、特に、高速データ通信における使用に適したコネクタに関するものである。
【背景技術】
【０００３】
高速伝送用コネクタは知られており、多くの構成が存在するが、通常は２個の部品を互いに通信することができるようにする複数の高速データパスを有する。高速伝送用コネクタの一種類として、互いに嵌（かん）合するプラグコネクタとレセプタクルコネクタが挙げられる。他の種類のコネクタも可能であるが、公知で標準的なコネクタ設計において使用されているプラグコネクタは、ＳＦＰ（Small Form factor Pluggable ）トランシーバのＳＦＦ委員会ＩＮＦ−８０７４ｉ規格に適合するＳＦＰプラグコネクタである。コネクタの全体的な形状は多くの用途に対しては満足の得られるものであることが判明しているが、技術の変化によって、改良された性能を有するコネクタの需要が生じている。この需要に対応するための一方法は、コネクタをより幅広にし、これにより、データチャンネルの数を増やすことである。残念ながら、幅の拡張はより広いスペースを要し、部品（とその結果製造される製品）をより小型に製造することを不可能にする。したがって、データチャンネルの実効速度を高めることがより望ましいことになる。一般に、データ転送速度を上げるには、より複雑な信号のコード化（例えば、ＮＲＺからＰＡＭ−５のコード化）を使用するか、実効データ転送速度を上げるためにより高い周波数を使用しなければならない。既存のコネクタ設計は、このような高いレベルの性能の提供に十分に適していないことが判明している。したがって、コネクタ設計における改良は高く評価されることになるだろう。
【発明の概要】
【課題を解決するための手段】
【０００４】
コネクタは、互いに結合するように構成された第一のハウジングと第二のハウジングとを有する。第一のハウジングは、第一の縁部に沿って延在する第一のスロットを備え、第二のハウジングは、第一のスロットに挿入されるように構成された第一の肩部を備えることができる。第一のスロットは、第一の細長い肩部をスロットに挿入すると変形するように構成された、１個以上の離間したリブを備える。コネクタは、第一のハウジング及び第二のハウジングのうちの一方に第二の縁部を備え、第一のハウジング及び第二のハウジングのうちの他方のハウジングにそれに対応する肩部を備えることができる。コネクタは、第一のハウジング及び第二のハウジングによって画定される内部空洞内に配置される１枚以上の回路カードを有することができる。
【０００５】
本発明を実施例によって説明するが、本発明は添付図面に限定されるものではない。図中、同様の符号は同様の要素を示す。
【図面の簡単な説明】
【０００６】
【図１】３本のケーブルと結合するように構成されたコネクタの実施の形態の斜視図である。
【図１Ａ】例えば、図１に描かれているコネクタの実施の形態の分解斜視図である。
【図２】図１に描かれているコネクタの部分斜視図である。
【図２Ａ】図２に描かれているコネクタの部分切欠図である。
【図３】上部ハウジングを取除いた図１に描かれているコネクタの部分図である。
【図４】図３に描かれている部分コネクタの更に簡略化した図である。
【図４Ａ】図４に描かれているコネクタの部分平面図である。
【図５】図４に描かれている部分コネクタの更に簡略化した図である。
【図６】回路カードに結合する回路カード支持体の実施の形態の部分分解斜視図である。
【図７】図６に描かれている回路カード支持体の実施の形態の側面図である。
【図８】図６に描かれている回路カード支持体の実施の形態の斜視図である。
【図９】図５における線９−９に沿って切断した断面図である。
【図１０】図５に描かれているハウジングの拡大斜視図である。
【図１１】図１に描かれているコネクタのハウジングの実施の形態の斜視図である。
【図１２】図１１に描かれているハウジングの他の斜視図である。
【図１３】他の構成方法を有するコネクタの実施の形態の斜視図である。
【図１４】図１３に描かれているコネクタの部分斜視図である。
【図１４Ａ】図１４における線１４Ａ−１４Ａに沿って切断した部分断面図である。
【図１５】図１３に描かれているコネクタの部分斜視図である。
【図１６】図１５における線１６−１６に沿って切断した断面斜視図である。
【図１７】１本のケーブルと結合するように構成されたコネクタの実施の形態の斜視図である。
【図１８】図１７に描かれているコネクタの部分斜視図である。
【図１９】図１８に描かれている部分コネクタの更に簡略化した図である。
【図２０】１本のケーブルと結合するコネクタの他の実施の形態の斜視図である。
【図２１】カード支持体組立体の実施の形態の側面図である。
【図２２】カード支持体の実施の形態の斜視図である。
【図２３】互いに結合するように構成された細長い肩部及び細長いスロットの実施の形態の簡略化した概略図である。
【発明を実施するための最良の形態】
【０００７】
コネクタの導電性ハウジングは知られており、コネクタの内部部品をシールドするために用いられてきた。周波数が高くなるにつれて、対象となる波長は短くなる。残念なことに、高周波数では波長は非常に短いため、ハウジングの２個の嵌合部分の比較的平坦（たん）な部分ですら、電磁干渉（ＥＭＩ）の侵入を阻止することができないほどの十分な隙（すき）間を有することになる。したがって、効果的なＥＭＩシールドを提供することができるように２個のハウジングを相互に結合することがより困難となっている。導電性ガスケットを使用することも可能ではあるが、ガスケットは組立をより複雑にするだけでなく、部品数を増やす。後述するように、等間隔の押潰（つぶ）しリブの使用によって、これまで試みられたことのない方法でＥＭＩシールドの改善を補助することができると判明した。
【０００８】
まず、図１〜１２を参照すると、コネクタ１００の一実施の形態の特徴が描かれている。コネクタ１００は、固定具２１０によって互いに結合された第一のハウジング１２０と第二のハウジング１４０とを有する。互いに結合されると、第一のハウジング１２０及び第二のハウジング１４０は、その内部に取付けられる部品を保持し、ＥＭＩ及び／又は物理的損傷から保護するのに用いることができる内部空洞１０５（図１４Ａ）を画定する。開示されている構成は、１本以上のケーブルと結合するコネクタの実施の形態を例示するものであるが、本明細書に記載される多くの特徴は、光ファイバと結合される光モジュールと結合されたコネクタでの使用にも適していることに留意すべきである。
【０００９】
第一のハウジング１２０及び第二のハウジング１４０は協働して、チャンネル１６２に通じる開口部１６１を備えたプラグ部１６０を形成する。図に示されるように、プラグ部１６０内に第一の回路カード２４０と第二の回路カード２６０とが設けられ、これらはカード支持体２３０によって支持される。プルラッチ１８０はラッチ溝１４２内において第二のハウジング１４０に取付けられ、保持部材２００によって所定の位置に固定される。ワイヤセット１９０が第一のハウジング１２０及び第二のハウジング１４０に結合され、プルラッチ１８０が保持バンド１１０を介してワイヤセット１９０に固定されていてもよい。対応するコンセント（receptacle）（図示せず）との導電性シールの形成を助けるために、導電性ガスケット２２０がプラグ部１６０の周囲に設けられていてもよい。
【００１０】
ワイヤセット１９０は１本以上のケーブルを含むことができ、絶縁層１９１はシールド１９２を囲み、該シールド１９２は１束の導電素子１９４（通常は多数の小ゲージ絶縁ワイヤであるが、図示を容易にするため単一の部材として示されている。）を囲んでいる。第一のハウジング１２０及び第二のハウジング１４０は、シールド支持体３２０と絶縁層支持体３２４とを備え、それぞれシールド１９２と絶縁層１９１とを支持し、固定する。必要に応じて、シールド支持体３２０（２本の離間し湾曲した保持指１２２を第一のハウジング１２０上に備え、これらに対向する２本の湾曲指１５０を第二のハウジング１４０上に備えることができる）を、確実にシールド１９２を把持するように構成することができる。一実施の形態においては、湾曲した保持指は２個の離間する平行な湾曲部材であってもよい。ワイヤセット１９０の過剰な圧縮を避けるため、フェルール１９３をシールド１９２の下に挿入することができる。これにより、第一のハウジング１２０及び第二のハウジング１４０が互いに結合されるとき、シールド支持体３２０はシールド１９２を把持し、シールド支持体３２０とフェルール１９３との間でシールド１９２を挟むことができる。同様に、グリップ部１３０及び１５２を絶縁層１９１を保持するために使用することができる（なお、フェルールは通常、ケーブル内にそれほど深く挿入されないので、グリップ部１３０及び１５２は圧縮を少なくするように構成することができる。）。理解することができるように、この構成によって、シールドを把持することでコネクタ１００がワイヤセット１９０を保持することができる。シールドは、通常、コネクタからケーブルを引抜くように働く力がケーブルに加わる場合にケーブルを保持するのに使用することが最も望ましく、したがって、最も適したケーブルの一部分である。
【００１１】
図に示されるように、後述する信号チャンネルを３群に分割することが望ましい場合、ワイヤセット１９０は、３本のケーブルを有することができ、各ケーブルは、内部において束ねられた複数の導電素子を備えている。代替の実施の形態においては、全データチャンネルを別個に（例えば、異なるコンセントに）導かなければならない場合、あるいは、より優れた柔軟性が望まれる場合、他の本数（例えば１本、２本又は４本以上）のケーブルを使用することができる。図に示される構成の利点は、グループ化された、積層されたあるいはグループ化されて積層されたコンセントの配列にコネクタを挿入することを許容しながら、３本のケーブルをハウジングに結合することができることである。このような構成がないと、コネクタの大きさが大きくなり、結果的に、対応するコンセントの配列の大きさも大きくなる可能性が高い。
【００１２】
図１Ａ及び２から理解することができるように、例えば、第二のハウジング１４０は、スロット１８６内に設けられた突起１４４を備える。スロットの大きさによってプルタブ１８０が平行移動することができる距離を制御するとともに、プルタブ１８０をグリップ部１８２の端部１８１で保持して引くことを可能にし、これにより、（端部１８５に設けることができる）傾斜１８８によって保持部材２００の保持部２０４を平行移動させることができる。動作中においては、保持部２０４はコンセント（図示せず）上の対応する部分に係合することができ、保持部２０４は、プルタブ１８０が作動されない限りコネクタ１００をコンセントから取外すことができないように構成することができる。傾斜の位置は重要ではなく、むしろ保持部２０４を離脱位置に平行移動することができる範囲において要求に応じて配置することができることに留意すべきである。
【００１３】
保持部材２００は、第二のハウジング１４０に翼部２０８を固定する固定具２０２によってハウジング１４０に固定されているものとして描かれている。しかし、後述するように、保持部材２００を固定する他の方法も考えられ、これにより、特定の利点を提供することができる。
【００１４】
上記の通り、カード支持体２３０によって回路カード２４０及び２６０をプラグ部１６０内に支持することができる。代替の実施の形態（図示せず）においては、第一のハウジング及び第二のハウジングは、ハウジングに不可欠な支持構造を備えることができる。例えば、第一のハウジング及び第二のハウジングは、図１Ａにおいて、切欠きが設けられている位置に形成された保持部を備えることができる。カード支持体２３０の使用の利点は、２枚の隣接する回路カード間のスキューについての許容範囲を改善することができることである。すなわち、特にカードの枚数が３枚以上に増えた場合、カード支持体２３０は複数の回路カードを確実に平行に位置決めするのを容易にする。一実施の形態においては、第一のカード支持体２３０は（共同でカード支持体ソケットを形成する）切欠き１２６及び切欠き１４５に位置し、第二のカード支持体は回路カード２４０及び２６０の反対側において同様のカード支持体ソケットに位置する。一実施の形態においては、回路カードはあらかじめ設定された接地・信号構成（例えば、接地及び信号の位置があらかじめ定められている）のために構成することができるトレースを備える。例えば、回路カードは接地、信号及び信号の繰返しパターンを備えることができる。理解することができるように、例えば、図２１〜２２に描かれるように、同様の方法で３枚以上のカードを位置決めすることができる。したがって、本開示はこの点に関して限定することを意図するものではない。
【００１５】
第一のハウジング１２０は、第二のハウジング１４０の第二の縁部１４８と嵌合するように構成された第一の縁部１２７を備える。より優れたシールドを提供するために、第一の縁部は、細長い肩部１４６と嵌合するように構成された細長いスロット１２８を備える。図に示されるように、該細長いスロット１２８は、プラグ部とその反対側の端部との間でハウジングの大部分に亘（わた）って延在する。さらに、細長いスロット１２８は、実質的に第一の縁部１２７の全体に沿って延在する。
【００１６】
細長いスロット及び細長い肩部は、第一のハウジング及び第二のハウジングを互いに封止するのを助ける。しかし、コネクタを通して伝送される信号の周波数が高くなるにつれ、対象となる波長は短くなる。したがって、対象となる周波数のために、第一のハウジング１２０及び第二のハウジング１４０を互いに電気的に封止することができるような、十分に平坦な表面を提供するのは難しくなる。間隔１２９ａ又は間隔１２９ｂ等の周期的な間隔でリブ１２９が細長いスロット１２８内に備えられている場合、細長い肩部１４６を細長いスロット１２８へ挿入することによって細長い肩部１４６をリブ１２９と係合させ、該リブを変形させる（あるいは押潰す）ことが判明した。この強制的な変位は、確実な電気的結合を所定の間隔で生じさせ、これにより、第一のハウジング及び第二のハウジングが所望のＥＭＩシールドを提供するのを確実に支援することができる。この構成はまた、細長い肩部１４６を細長いスロット１２８に挿入するのに必要な挿入力を制御することができるように、リブの頻度（例えば、隣接するリブの間隔）を設定することができるという利点を有する。一実施の形態においては、リブの間隔は、（リブが同じ側にあるか、両側にあるかに係らず）約２〜３〔ｍｍ〕の間とすることができる。係合力を低減することが望ましい場合、リブは４〜６〔ｍｍ〕の間隔とすることができる（ただし、これにより、必然的にリブ間の部分をより長い波長が通るのを許容するようになる。）。
【００１７】
一実施の形態においては、図４Ａに示されるように、リブ１２９は細長いスロット１２８の両側に交互のパターンで設けることができる。このような実施の形態においては、リブは、細長いスロット１２８の幅の約１０〜２６〔％〕の間の距離だけ細長いスロット中に延出しており、この距離はとりわけ所望の挿入力、材料特性、許容範囲を制御する能力及び使用されるリブの数によって制御される。一実施の形態においては、細長いスロット１２８内へのリブ１２９の延出量の合計は、３０〜４０〔％〕（例えば、片側当り約１５〜２０〔％〕）の間である。図４Ａから理解することができるように、チャンネルの両側にリブを備える利点は、リブの押潰しに抵抗する力が釣合うことであり、したがって、第一のハウジング１２０及び第二のハウジング１４０が互いに結合される際、細長い肩部１４６の細長いスロット１２８への係合によってコネクタのハウジングを変形する傾向が小さいことである。
【００１８】
他の一実施の形態においては、リブ１２９が細長いスロット１２８の片側のみ（例えば、両方の細長いスロット１２８の外側又は内側）に提供されるように、内側又は外側のリブ１２９を省略することができる。理解することができるように、スロットの片側のみにリブを備えることはより大きいリブを可能にし、したがって、各リブのより大きい変形を可能にする。
【００１９】
他の一実施の形態においては、リブ４２９が細長い肩部４４６に設置され、細長いスロット４２８に挿入されることに留意すべきである（図２３）。このように、特に断りのない限り、リブの配置や位置（チャンネル内にあるのか、肩部にあるのか）は、所望のＥＭＩシールドを提供するために、要求に応じて変更することができる。例えば、１個以上のリブを細長い肩部と細長いスロットとの両方に設置し、これにより、細長いスロットと細長い肩部との間に複数の押潰されたリブを提供することができる。
【００２０】
リブ１２９が細長いスロット１２８の片側に設けられているにしろ、両側に設けられているにしろ、対象となる周波数の範囲におけるスプリアス信号を遮断する導電性シールドを形成するのに十分な頻度で、肩部１４６の挿入がリブ１２９を押潰すことができるように、リブ１２９間の間隔（１２９ａ、１２９ｂ）を十分に小さく設定することができる。一実施の形態においては、リブはナイキスト周波数（ＮＲＺ信号伝送の場合には、伝送能力をＸ〔Ｇｂｐｓ〕として約Ｘ／２〔ＧＨｚ〕である。）の３／２の周波数の信号の波長に相当する一定の間隔を有することができる。
【００２１】
図１３〜１５は、第一のハウジング１２０及び第二のハウジング１４０を互いに固定するのに用いるクリップ３００を備える実施の形態を表す。クリップ３００は第一の凹部１５６及び第二の凹部１３４に係合し、かしめ（crimp ）られて適所に位置決めされ、これにより、２個のハウジングを確実に互いに固定することができる。理解することができるように、コネクタの両側面にクリップ３００を備えることができる。必要に応じて、別個の固定具を使用せずに第二のハウジング１４０に固定されるよう、保持部材２００を構成することもできる。一実施の形態においては、図１４Ａに描かれている断面図から理解することができるように、プルタブ１８０を適所に固定するために収容切欠き１４１に翼部２０９を挿入することによって、保持部材２００を固定することができる。図に示されるように、翼部２０９は、（保持部材２００の残りの部分との組合せによって）十分に柔軟であり、著しく可塑的に変形することなく、一方でプルタブ１８０を適所に固定するのに十分な強さで切欠き１４１に挿入することができる。
【００２２】
図１７〜１９はハウジングに１本のケーブルが結合される一実施の形態を表す。理解することができるように、導電素子を１本のケーブルにまとめることによってケーブルの引回しをより簡単にすることができるが、大きさが大きくなると、柔軟性を減じる可能性があり、すべての通信チャンネルを単一のポイントに導くことになる（それに対して、例えば、３本のケーブルは、信号を別個の３群に分割することができる。）。一方、上述の３本ケーブル型と同様に、シールド１９２の下側にフェルール１９３を設置することによってシールド部を固定することができ、これにより、確実にシールド支持体３２０がシールドを把持し、フェルール１９３とシールド支持体３２０との間に挟むことができる。
【００２３】
例えば、図１７に描かれているように、単一ワイヤ型のコネクタは、追加の固定具の使用を避けるために、クリップとかしめ段階とによって互いに結合することができる。様々な構成（ケーブルの数の変化を含む）に対して及び／又は光モジュールに使用される場合にクリップと固定具との組合せを必要に応じて使用することができること、及び、部分的又は完全にかしめを行う設計は、製造上の好みと人件費とに応じて選択されることを更に留意すべきである。図１３〜１４Ａに関して上述したような翼部を挿入する設計を使用する利点は、以前は不可能であった、所望のコネクタスペースにおいて導体の本数を増やしながら部品数を減少させることができる可能性があることである。
【００２４】
図２０は図１７〜１９に描かれている設計と同様の実施の形態を表すが、これは第一のハウジング１２０及び第二のハウジング１４０を互いに結合し、保持部材２００を第二のハウジング１４０に固定するために使用される固定具を備える。図９から理解することができるように、固定具２１０をシールド支持体３２０と絶縁層支持体３２２との間に取付けることによって、コネクタ１００に固定されているケーブルへの干渉を避けつつ、必要とされるスペースを最小に抑えることができることに留意すべきである。これは、図９に描かれている設計の利点でもある。
【００２５】
再び図６〜８（及び図１４Ａ及び図２１〜２２）を参照すると、カード支持体２３０に関する他の構成が描かれている。特に、カード支持体２３０は、回路カード２４０及び２６０を支持するように構成された第一のチャンネル２３４ａと第二のチャンネル２３４ｂとを備える。チャンネル２３４ａ及び２３４ｂは距離２３３の幅を有し、一方、チャンネル２３８は距離２３９の幅を有する。チャンネル２３８は、２本のチャンネル２３４ａ及び２３４ｂを分離している。必要ではないが、一実施の形態においては、チャンネル２３８の距離２３９が２．０〔ｍｍ〕より大きくなるようにカード支持体２３０を構成することができ、これにより、カード支持体２３０における壁厚の広範囲に亘る変化を避けつつ、２枚の回路カードの間に十分な距離を確保することができるという利点が得られる。図２１〜２２に描かれているように、３枚以上の回路カードを支えられるように、更にチャンネルを追加することもできる。
【００２６】
ある特定の構成においては、回路カードの相互間の向きを制御することが望ましい可能性がある（例えば、どこに各回路カードを配置するかを制御することが望ましい場合もある。）。したがって、位置決め要素２３２ａ及び２３２ｂを使用することができる。理解することができるように、位置決め要素２３２ａを位置決め要素２３２ｂとは異なった間隔で配置し、回路カード２４０及び２６０がチャンネルのうちの１個のみに挿入されるように構成する場合、回路カードの向きを制御することができる。同様に、特定の回路カードがそれぞれのチャンネル３３４ａ、３３４ｂ及び３３４ｃに確実に位置決めすることができるように、位置決め要素３３２ａ、３３２ｂ及び３３２ｃを配置することができる。
【００２７】
位置決め要素２３２ａ及び２３２ｂは、更なる方向決め機能を提供するために異なっていてもよいことを留意すべきである。すなわち、回路カードとそれに対応する位置決め要素とは、回路カードを１個のチャンネルのみに、特定の向きと位置のみで配置することができるように構成することができる。さらに、各回路カードは（２枚以上の回路カードを交換可能に配置することができるように）同一に構成することができ、あるいは、各回路カードは、カード支持体に２枚以上の回路カードを位置決めするための可能性のある構成がただ１種のみ存在するように、異なった構成とすることができる。このように、必要ならば高度な柔軟性を容認し、一方で必要に応じて各回路カードの配置と向きの注意深い制御を可能にする。加えて、更なる方向決め部２３１をカード支持体２３０に提供することができ、これにより、一方向のみの向きで（場合によっては、コネクタの片側にのみ）取付けることができる。このように、回路カードの所望の向きを互いに対して注意深く制御することができ（例えば、回路カードが実質的に平行な平面上に存在するようにスキューを制御することができ）、回路カードの向きを容易に規定することができる。
【００２８】
図６から理解することができるように、回路カードは更なる高速性能用に構成することができる。必要ではないが、接地トレース２６６及び信号トレース２６４を高速化のために構成することができる。例えば、信号トレース２６４は、小さな隙間によって隔てられた導入部２６４ａ及び接触部２６４ｂから成る分割パッド設計を有することができる。接触部２６４ｂは約１．６〔ｍｍ〕の長さを備えることができ、描かれているカード支持体設計とともに高性能コネクタにおいて使用することができる。
【００２９】
本発明を、その例示的な好ましい実施の形態に関して説明してきた。当業者であれば、本開示を検討することによって、添付の特許請求の範囲と精神に含まれる他の数多くの実施の形態、変形例及び変更例を思い付くであろう。
【図１】
2010123573.tif 000003
【図１Ａ】
2010123573.tif 000004
【図２】
2010123573.tif 000005
【図２Ａ】
2010123573.tif 000006
【図３】
2010123573.tif 000007
【図４】
2010123573.tif 000008
【図４Ａ】
2010123573.tif 000009
【図５】
2010123573.tif 000010
【図６】
2010123573.tif 000011
【図７】
2010123573.tif 000012
【図８】
2010123573.tif 000013
【図９】
2010123573.tif 000014
【図１０】
2010123573.tif 000015
【図１１】
2010123573.tif 000016
【図１２】
2010123573.tif 000017
【図１３】
2010123573.tif 000018
【図１４】
2010123573.tif 000019
【図１４Ａ】
2010123573.tif 000020
【図１５】
2010123573.tif 000021
【図１６】
2010123573.tif 000022
【図１７】
2010123573.tif 000023
【図１８】
2010123573.tif 000024
【図１９】
2010123573.tif 000025
【図２０】
2010123573.tif 000026
【図２１】
2010123573.tif 000027
【図２２】
2010123573.tif 000028
【図２３】
2010123573.tif 000029
【外国語明細書】
2010123573000001.pdf
2010123573000002.pdf
2010123573000003.pdf
2010123573000004.pdf